【手続補正書】
【提出日】平成19年4月13日(2007.4.13)
【手続補正１】
【補正対象書類名】特許請求の範囲
【補正対象項目名】全文
【補正方法】変更
【補正の内容】
【特許請求の範囲】
【請求項１】
プロジェクトに参加するユーザの識別情報と、当該ユーザの識別情報により識別されるユーザの依頼により当該プロジェクトに参加するメンバーユーザの識別情報とを対応付けて記憶するプロジェクトメンバー情報記憶手段と、
プロジェクトの識別情報と、前記プロジェクトに参加するユーザの識別情報とを対応付けて記憶するユーザプロジェクト情報記憶手段と、
依頼元のユーザが前記プロジェクトへの参加を依頼する依頼先のユーザからの前記プロジェクトへの参加承諾に基づいて、当該依頼先のユーザの識別情報を前記ユーザプロジェクト情報記憶手段に登録するとともに、当該依頼先のユーザを前記依頼元のユーザのメンバーユーザとして、前記依頼先のユーザの識別情報を前記プロジェクトメンバー情報記憶手段に登録し、当該依頼元のユーザを前記依頼先のユーザのメンバーユーザとして、前記依頼元のユーザの識別情報を前記プロジェクトメンバー情報記憶手段に登録する登録手段と、
ユーザから送信されたプロジェクトの識別情報及びユーザの識別情報に基づいて、前記ユーザプロジェクト情報記憶手段を検索して、前記プロジェクトに参加しているユーザか否かを認証する参加認証手段と、
前記参加認証手段により認証されたユーザのメンバーユーザを前記プロジェクトメンバー情報記憶手段により検索する検索手段と、
前記検索手段による検索結果に基づいて、前記プロジェクトに関する情報を管理する情報管理手段と、
を備えることを特徴とするプロジェクト管理サーバ。
【請求項２】
プロジェクトに参加するユーザの識別情報と、当該ユーザの識別情報により識別されるユーザの依頼により当該プロジェクトに参加するメンバーユーザの識別情報とを対応付けて記憶するプロジェクトメンバー情報記憶手段と、
プロジェクトの識別情報と、前記プロジェクトに参加するユーザの識別情報とを対応付けて記憶するユーザプロジェクト情報記憶手段と、を有するサーバを用いてプロジェクトを管理するにあたり、
前記サーバが、依頼元のユーザが前記プロジェクトへの参加を依頼する依頼先のユーザからの前記プロジェクトへの参加承諾に基づいて、当該依頼先のユーザの識別情報を前記ユーザプロジェクト情報記憶手段に登録するとともに、当該依頼先のユーザを前記依頼元のユーザのメンバーユーザとして、前記依頼先のユーザの識別情報を前記プロジェクトメンバー情報記憶手段に登録し、当該依頼元のユーザを前記依頼先のユーザのメンバーユーザとして、前記依頼元のユーザの識別情報を前記プロジェクトメンバー情報記憶手段に登録する登録ステップと、
前記サーバが、ユーザから送信されたプロジェクトの識別情報及びユーザの識別情報に基づいて、前記ユーザプロジェクト情報記憶手段を検索して、前記プロジェクトに参加しているユーザか否かを認証する参加認証ステップと、
前記サーバが、前記参加認証ステップにより認証されたユーザのメンバーユーザを前記プロジェクトメンバー情報記憶手段により検索する検索ステップと、
前記サーバが、前記検索ステップによる検索結果に基づいて、前記プロジェクトに関する情報を管理する情報管理ステップと、
を備えることを特徴とするプロジェクト管理方法。
【請求項３】
プロジェクトに参加するユーザの識別情報と、当該ユーザの識別情報により識別されるユーザの依頼により当該プロジェクトに参加するメンバーユーザの識別情報とを対応付けて記憶しているプロジェクトメンバー情報記憶手段と、
プロジェクトの識別情報と、前記プロジェクトに参加するユーザの識別情報とを対応付けて記憶するユーザプロジェクト情報記憶手段と、を備えるコンピュータを、
依頼元のユーザが前記プロジェクトへの参加を依頼する依頼先のユーザからの前記プロジェクトへの参加承諾に基づいて、当該依頼先のユーザの識別情報を前記ユーザプロジェクト情報記憶手段に登録するとともに、当該依頼先のユーザを前記依頼元のユーザのメンバーユーザとして、前記依頼先のユーザの識別情報を前記プロジェクトメンバー情報記憶手段に登録し、当該依頼元のユーザを前記依頼先のユーザのメンバーユーザとして、前記依頼元のユーザの識別情報を前記プロジェクトメンバー情報記憶手段に登録する登録手段、
ユーザから送信されたプロジェクトの識別情報及びユーザの識別情報に基づいて、前記ユーザプロジェクト情報記憶手段を検索して、前記プロジェクトに参加しているユーザか否かを認証する参加認証手段、
前記参加認証手段により認証されたユーザのメンバーユーザを前記プロジェクトメンバー情報記憶手段により検索する検索手段、
前記検索手段による検索結果に基づいて、前記プロジェクトに関する情報を管理する情報管理手段、
として機能させるためのプログラム。
【請求項４】
プロジェクトに参加するユーザの識別情報と、当該ユーザの識別情報により識別されるユーザの依頼により当該プロジェクトに参加するメンバーユーザの識別情報とを対応付けて記憶するプロジェクトメンバー情報記憶手段と、
プロジェクトの識別情報と、前記プロジェクトに参加するユーザの識別情報とを対応付けて記憶するユーザプロジェクト情報記憶手段と、
前記依頼元のユーザから送信された前記依頼先のユーザに関する前記プロジェクトへの参加依頼情報を記憶する参加依頼情報記憶手段と、を備えるコンピュータを、
プロジェクトへの参加依頼の問い合わせを行った問い合わせユーザが、前記プロジェクトへの参加を依頼されている依頼先のユーザであるか否かを、前記参加依頼情報記憶手段を検索して判断する依頼先判断手段、
前記依頼先判断手段により、前記問い合わせユーザが前記プロジェクトへの参加を依頼されている依頼先のユーザであると判断された場合に、前記問い合わせユーザに、その旨の通知を行う通知手段、
として機能させるためのプログラム。
【請求項５】
プロジェクトに参加するユーザの識別情報と、当該ユーザの識別情報により識別されるユーザの依頼により当該プロジェクトに参加するメンバーユーザの識別情報とを対応付けて記憶するプロジェクトメンバー情報記憶手段と、
プロジェクトの識別情報と、前記プロジェクトに参加するユーザの識別情報とを対応付けて記憶するユーザプロジェクト情報記憶手段と、
ユーザの識別情報を記憶するユーザ情報記憶手段と、を備えるコンピュータを、
前記ユーザから送信されたユーザの識別情報を受信するユーザ情報受信手段、
前記ユーザ情報受信手段が受信したユーザの識別情報が前記ユーザ情報記憶手段に記憶されているか否かを判断するユーザ判断手段、
前記ユーザ判断手段により、ユーザの識別情報が前記ユーザ情報記憶手段に記憶されていると判断された場合に、ユーザがアクセスするための使用認証コードを通知し、ユーザの識別情報が前記ユーザ情報記憶手段に記憶されていないと判断された場合に、前記ユーザがアクセスできない旨を通知するユーザ認証通知手段、
として機能させるためのプログラム。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】変更
【補正の内容】
【００１１】
請求項２に記載の発明は、プロジェクト管理方法であって、プロジェクトに参加するユーザの識別情報と、当該ユーザの識別情報により識別されるユーザの依頼により当該プロジェクトに参加するメンバーユーザの識別情報とを対応付けて記憶するプロジェクトメンバー情報記憶手段と、プロジェクトの識別情報と、前記プロジェクトに参加するユーザの識別情報とを対応付けて記憶するユーザプロジェクト情報記憶手段と、を有するサーバを用いてプロジェクトを管理するにあたり、前記サーバが、依頼元のユーザが前記プロジェクトへの参加を依頼する依頼先のユーザからの前記プロジェクトへの参加承諾に基づいて、当該依頼先のユーザの識別情報を前記ユーザプロジェクト情報記憶手段に登録するとともに、当該依頼先のユーザを前記依頼元のユーザのメンバーユーザとして、前記依頼先のユーザの識別情報を前記プロジェクトメンバー情報記憶手段に登録し、当該依頼元のユーザを前記依頼先のユーザのメンバーユーザとして、前記依頼元のユーザの識別情報を前記プロジェクトメンバー情報記憶手段に登録する登録ステップと、前記サーバが、ユーザから送信されたプロジェクトの識別情報及びユーザの識別情報に基づいて、前記ユーザプロジェクト情報記憶手段を検索して、前記プロジェクトに参加しているユーザか否かを認証する参加認証ステップと、前記サーバが、前記参加認証ステップにより認証されたユーザのメンバーユーザを前記プロジェクトメンバー情報記憶手段により検索する検索ステップと、前記サーバが、前記検索ステップによる検索結果に基づいて、前記プロジェクトに関する情報を管理する情報管理ステップと、を備えることを特徴とする。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】変更
【補正の内容】
【００１４】
請求項３に記載の発明は、プログラムであって、プロジェクトに参加するユーザの識別情報と、当該ユーザの識別情報により識別されるユーザの依頼により当該プロジェクトに参加するメンバーユーザの識別情報とを対応付けて記憶しているプロジェクトメンバー情報記憶手段と、プロジェクトの識別情報と、前記プロジェクトに参加するユーザの識別情報とを対応付けて記憶するユーザプロジェクト情報記憶手段と、を備えるコンピュータを、依頼元のユーザが前記プロジェクトへの参加を依頼する依頼先のユーザからの前記プロジェクトへの参加承諾に基づいて、当該依頼先のユーザの識別情報を前記ユーザプロジェクト情報記憶手段に登録するとともに、当該依頼先のユーザを前記依頼元のユーザのメンバーユーザとして、前記依頼先のユーザの識別情報を前記プロジェクトメンバー情報記憶手段に登録し、当該依頼元のユーザを前記依頼先のユーザのメンバーユーザとして、前記依頼元のユーザの識別情報を前記プロジェクトメンバー情報記憶手段に登録する登録手段、ユーザから送信されたプロジェクトの識別情報及びユーザの識別情報に基づいて、前記ユーザプロジェクト情報記憶手段を検索して、前記プロジェクトに参加しているユーザか否かを認証する参加認証手段、前記参加認証手段により認証されたユーザのメンバーユーザを前記プロジェクトメンバー情報記憶手段により検索する検索手段、前記検索手段による検索結果に基づいて、前記プロジェクトに関する情報を管理する情報管理手段、として機能させることを特徴とする。
【手続補正９】
【補正対象書類名】明細書
【補正対象項目名】００１５
【補正方法】変更
【補正の内容】
【００１５】
請求項４に記載の発明は、プログラムであって、プロジェクトに参加するユーザの識別情報と、当該ユーザの識別情報により識別されるユーザの依頼により当該プロジェクトに参加するメンバーユーザの識別情報とを対応付けて記憶するプロジェクトメンバー情報記憶手段と、プロジェクトの識別情報と、前記プロジェクトに参加するユーザの識別情報とを対応付けて記憶するユーザプロジェクト情報記憶手段と、前記依頼元のユーザから送信された前記依頼先のユーザに関する前記プロジェクトへの参加依頼情報を記憶する参加依頼情報記憶手段と、を備えるコンピュータを、プロジェクトへの参加依頼の問い合わせを行った問い合わせユーザが、前記プロジェクトへの参加を依頼されている依頼先のユーザであるか否かを、前記参加依頼情報記憶手段を検索して判断する依頼先判断手段、前記依頼先判断手段により、前記問い合わせユーザが前記プロジェクトへの参加を依頼されている依頼先のユーザであると判断された場合に、前記問い合わせユーザに、その旨の通知を行う通知手段、として機能させることを特徴とする。
【手続補正１０】
【補正対象書類名】明細書
【補正対象項目名】００１６
【補正方法】変更
【補正の内容】
【００１６】
請求項５に記載の発明は、プログラムであって、プロジェクトに参加するユーザの識別情報と、当該ユーザの識別情報により識別されるユーザの依頼により当該プロジェクトに参加するメンバーユーザの識別情報とを対応付けて記憶するプロジェクトメンバー情報記憶手段と、プロジェクトの識別情報と、前記プロジェクトに参加するユーザの識別情報とを対応付けて記憶するユーザプロジェクト情報記憶手段と、ユーザの識別情報を記憶するユーザ情報記憶手段と、を備えるコンピュータを、前記ユーザから送信されたユーザの識別情報を受信するユーザ情報受信手段、前記ユーザ情報受信手段が受信したユーザの識別情報が前記ユーザ情報記憶手段に記憶されているか否かを判断するユーザ判断手段、前記ユーザ判断手段により、ユーザの識別情報が前記ユーザ情報記憶手段に記憶されていると判断された場合に、ユーザがアクセスするための使用認証コードを通知し、ユーザの識別情報が前記ユーザ情報記憶手段に記憶されていないと判断された場合に、前記ユーザがアクセスできない旨を通知するユーザ認証通知手段、として機能させることを特徴とする。
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】変更
【補正の内容】
【００２２】
請求項２に記載の発明によれば、登録ステップでは、依頼元のユーザがプロジェクトへの参加を依頼する依頼先のユーザからのプロジェクトへの参加承諾に基づいて、当該依頼先のユーザの識別情報をユーザプロジェクト情報記憶手段に登録するとともに、当該依頼先のユーザを依頼元のユーザのメンバーユーザとして、依頼先のユーザの識別情報をプロジェクトメンバー情報記憶手段に登録し、当該依頼元のユーザを依頼先のユーザのメンバーユーザとして、依頼元のユーザの識別情報をプロジェクトメンバー情報記憶手段に登録する。
また、参加認証ステップでは、ユーザから送信されたプロジェクトの識別情報及びユーザの識別情報に基づいて、ユーザプロジェクト情報記憶手段を検索して、プロジェクトに参加しているユーザか否かを認証する。
次いで、検索ステップでは、参加認証ステップにより認証されたユーザのメンバーユーザをプロジェクトメンバー情報記憶手段により検索する。
そして、情報管理ステップでは、検索ステップによる検索結果に基づいて、プロジェクトに関する情報を管理する。
【手続補正１５】
【補正対象書類名】明細書
【補正対象項目名】００２４
【補正方法】削除
【補正の内容】
【手続補正１６】
【補正対象書類名】明細書
【補正対象項目名】００２５
【補正方法】削除
【補正の内容】
【手続補正１７】
【補正対象書類名】明細書
【補正対象項目名】００２６
【補正方法】変更
【補正の内容】
【００２６】
請求項３に記載の発明によれば、コンピュータを登録手段として機能させることにより、依頼元のユーザがプロジェクトへの参加を依頼する依頼先のユーザからのプロジェクトへの参加承諾に基づいて、当該依頼先のユーザの識別情報をユーザプロジェクト情報記憶手段に登録するとともに、当該依頼先のユーザを依頼元のユーザのメンバーユーザとして、依頼先のユーザの識別情報をプロジェクトメンバー情報記憶手段に登録し、当該依頼元のユーザを依頼先のユーザのメンバーユーザとして、依頼元のユーザの識別情報をプロジェクトメンバー情報記憶手段に登録する。
また、コンピュータを参加認証手段として機能させることにより、ユーザから送信されたプロジェクトの識別情報及びユーザの識別情報に基づいて、ユーザプロジェクト情報記憶手段を検索して、プロジェクトに参加しているユーザか否かを認証する。
次いで、コンピュータを検索手段として機能させることにより、参加認証手段により認証されたユーザのメンバーユーザをプロジェクトメンバー情報記憶手段により検索する。
そして、コンピュータを情報管理手段として機能させることにより、検索手段による検索結果に基づいて、プロジェクトに関する情報を管理する。
【手続補正１８】
【補正対象書類名】明細書
【補正対象項目名】００２８
【補正方法】変更
【補正の内容】
【００２８】
請求項４に記載の発明によれば、コンピュータを依頼先判断手段として機能させることにより、プロジェクトへの参加依頼の問い合わせを行ったユーザが、プロジェクトへの参加を依頼されている依頼先のユーザであるか否かを、参加依頼情報記憶手段を検索して判断する。また、コンピュータを通知手段として機能させることにより、依頼先判断手段によりプロジェクトへの参加を依頼されている依頼先のユーザであると判断された場合に、プロジェクトへの参加依頼の問い合わせを行ったユーザに、その旨の通知を行う。これにより、プロジェクトへの参加を依頼された依頼先のユーザにのみ参加依頼があった旨が通知されるので、依頼先のユーザは依頼元のユーザに参加依頼があるか否かを問い合わせる必要がない。
【手続補正１９】
【補正対象書類名】明細書
【補正対象項目名】００２９
【補正方法】変更
【補正の内容】
【００２９】
請求項５に記載の発明によれば、コンピュータをユーザ情報受信手段として機能させることにより、ユーザから送信されたユーザの識別情報を受信し、コンピュータをユーザ判断手段として機能させることにより、ユーザ情報受信手段が受信したユーザの識別情報がユーザ情報記憶手段に記憶されているか否かを判断する。また、コンピュータをユーザ認証通知手段として機能させることにより、ユーザ判断手段により、ユーザの識別情報がユーザ情報記憶手段に記憶されていると判断された場合に、ユーザがアクセスするための使用認証コードを通知し、ユーザの識別情報がユーザ情報記憶手段に記憶されていないと判断された場合に、ユーザがアクセスできない旨を通知する。これにより、アクセスする権原を与えられていないユーザは、アクセスを拒否され、アクセスする権原を与えられたユーザは、使用認証コードが通知されることで、次回からのアクセスを容易に行うことができる。従って、セキュリティの向上を図ることができる。